(57)【要約】【課題】簡単且つ安価な構成で、第２搬送路に搬送されたシートの搬送力を確保しつつ、第２搬送路を容易に開放可能に構成されたガイド手段を有するシート搬送装置及びこれを備える画像形成装置を提供すること。【解決手段】プリンタ本体と、シート搬送路１０７と、プリンタ本体に軸支される開閉扉と、両面搬送路１０６と、両面上ローラ１２４ａと、両面搬送路１０６を構成し、開閉扉を開けた際に両面搬送路１０６が開放されるよう、開閉扉に軸支されるガイド手段３０４と、を備え、ガイド手段３０４は、開閉扉に軸支される揺動ガイド３０６と、揺動ガイド３０６に支持され、両面上ローラ１２４ａに圧接可能な搬送コロ３０９と、搬送コロ３０９を両面上ローラ１２４ａに圧接させると共に、両面搬送路１０６を開放する方向に揺動ガイド３０６を付勢するねじりコイルバネ３１０と、を有する。【選択図】図６
2015067430.tif 000002
【特許請求の範囲】
【請求項１】
装置本体と、
前記装置本体に設けられ、シートが搬送される第１搬送路と、
前記装置本体に回動可能に軸支される開閉扉と、
前記開閉扉に設けられ、シートを前記第１搬送路に再搬送するための第２搬送路と、
前記開閉扉に設けられ、前記第２搬送路に搬送されたシートを搬送可能な搬送ローラと、
前記第２搬送路を構成し、前記開閉扉を前記装置本体から開放した際に前記第２搬送路が前記開閉扉から開放されるよう、前記開閉扉に軸支されるガイド手段と、を備え、
前記ガイド手段は、前記開閉扉に軸支されるガイド本体と、前記ガイド本体に回転可能に支持され、前記搬送ローラに圧接してシートを搬送可能な搬送コロと、前記搬送コロを前記搬送ローラに圧接させると共に、前記搬送ローラからの反力で前記第２搬送路を開放する方向に前記ガイド本体を付勢する付勢手段と、を有する、
ことを特徴とするシート搬送装置。
【請求項２】
前記付勢手段による、前記搬送コロを前記搬送ローラに圧接させる圧接力と、前記ガイド本体を付勢する付勢力とが、反対方向のモーメントにより作用する、
ことを特徴とする請求項１に記載のシート搬送装置。
【請求項３】
前記モーメントは、前記搬送コロに対して前記ガイド本体の回動軸と反対側に位置する支点を中心に作用する、
ことを特徴とする請求項２に記載のシート搬送装置。
【請求項４】
前記付勢手段は、前記搬送コロに対して、前記ガイド本体の回動軸と反対側で支持されたコイル部を中心に、一端が前記ガイド本体と係合すると共に、他端が前記搬送コロと係合しているねじりコイルバネである、
ことを特徴とする請求項１から３のいずれか１項に記載のシート搬送装置。
【請求項５】
前記付勢手段は、前記搬送コロに対して前記ガイド本体の回動軸と反対側に位置する支点を中心に前記ガイド本体に揺動自在に支持されると共に、一端が前記搬送コロと係合する揺動部材と、前記揺動部材の他端を前記開閉扉から離れる方向に付勢する圧縮バネと、を有する、
ことを特徴とする請求項１から３のいずれか１項に記載のシート搬送装置。
【請求項６】
前記装置本体は、前記開閉扉を閉じる際の前記ガイド本体に当接して、前記ガイド本体の位置決めを行う位置決め部を有する、
ことを特徴とする請求項１から５のいずれか１項に記載のシート搬送装置。
【請求項７】
前記位置決め部は、前記開閉扉が前記装置本体に対して閉じる直前の移動方向に沿って配置されており、
前記ガイド本体を前記移動方向に沿って規制する、
ことを特徴とする請求項６に記載のシート搬送装置。
【請求項８】
前記開閉扉は、前記第１搬送路を開放可能に構成され、
前記ガイド本体は、一方の面で前記第１搬送路を構成すると共に、他方の面で前記第２搬送路を構成している、
ことを特徴とする請求項１から７のいずれか１項に記載のシート搬送装置。
【請求項９】
請求項１から８にいずれか１項に記載のシート搬送装置と、
前記第１搬送路に設けられ、前記シート搬送装置により搬送されるシートに画像を形成する画像形成部と、を備えた、
ことを特徴とする画像形成装置。
【発明の詳細な説明】
【技術分野】
【０００１】
本発明は、シートを搬送可能なシート搬送装置及びこれを備える画像形成装置に関する。
【背景技術】
【０００２】
従来、シートを給送するシート給送部を下部に設け、シート給送部から給送されたシートに、シート給送部の上方に設けられた画像形成部で画像を形成し、上部に設けられたシート排出部に画像が形成されたシートを排出させる画像形成装置が知られている。この画像形成装置では、シートを上方に移動させるためのシート搬送路を装置本体の一方側の側面に沿って設け、シート搬送路を開放可能な開閉扉を設けることでジャム処理やメンテナンスを容易に行えるようにしている。
【０００３】
また、開閉扉には、シートの両面に画像を形成する場合に、シートを画像形成部に再搬送するための両面搬送路が設けられており、両面搬送路は、揺動可能な揺動ガイドにより、その一部が構成されている（特許文献１参照）。
【先行技術文献】
【特許文献】
【０００４】
【特許文献１】特開２０１０−１１７７１５号公報
【発明の概要】
【発明が解決しようとする課題】
【０００５】
ここで、特許文献１に記載の揺動ガイドは、開閉扉に回動可能に軸支されると共に、開閉扉から離れる方向（両面搬送路を開放する方向）に付勢されている。これにより、開閉扉を開けた際に両面搬送路が開放され、ジャム処理等が容易に行えるようになっている。また、揺動ガイドには、両面搬送路に搬送されたシートを搬送する搬送ローラに従動する搬送コロが設けられており、搬送コロは、開閉扉に支持された搬送ローラと圧接するために、開閉扉に向かって付勢されている。
【０００６】
これらの付勢力は、両面搬送路を開放する方向に作用する力の方を大きくする必要があるが、この力を大きくし過ぎると、開閉扉を開閉する際の操作性が低下する。また、この付勢力を小さくすると、搬送コロの搬送ローラに対する圧接力がさらに小さくなるため、搬送不良を引き起こすおそれがある。このように、これら２つの付勢力を異なる付勢手段で構成しようとすると、力関係の調整が困難になる。
【０００７】
そこで、本発明は、簡単且つ安価な構成で、第２（両面）搬送路に搬送されたシートの搬送力を確保しつつ、第２（両面）搬送路を容易に開放可能に構成されたガイド手段を有するシート搬送装置及びこれを備える画像形成装置を提供することを目的とする。
【課題を解決するための手段】
【０００８】
本発明は、シート搬送装置において、装置本体と、前記装置本体に設けられ、シートが搬送される第１搬送路と、前記装置本体に回動可能に軸支される開閉扉と、前記開閉扉に設けられ、シートを前記第１搬送路に再搬送するための第２搬送路と、前記開閉扉に設けられ、前記第２搬送路に搬送されたシートを搬送可能な搬送ローラと、前記第２搬送路を構成し、前記開閉扉を前記装置本体から開放した際に前記第２搬送路が前記開閉扉から開放されるよう、前記開閉扉に軸支されるガイド手段と、を備え、前記ガイド手段は、前記開閉扉に軸支されるガイド本体と、前記ガイド本体に回転可能に支持され、前記搬送ローラに圧接してシートを搬送可能な搬送コロと、前記搬送コロを前記搬送ローラに圧接させると共に、前記搬送ローラからの反力で前記第２搬送路を開放する方向に前記ガイド本体を付勢する付勢手段と、を有することを特徴とする。
【発明の効果】
【０００９】
本発明によれば、簡単且つ安価な構成で、第２搬送路に搬送されたシートの搬送力を確保しつつ、第２搬送路を容易に開放可能に構成されたガイド手段を有するシート搬送装置及びこれを備える画像形成装置を提供することができる。
【図面の簡単な説明】
【００１０】
【図１】本発明の第１実施形態に係るプリンタを模式的に示す断面図である。
【図２】図１に示すプリンタの開閉扉を開いた状態を示す断面図である。
【図３】第１実施形態に係るプリンタの制御部の構成を示すブロック図である。
【図４】開閉扉を閉じた状態の揺動ガイドを示す図である。
【図５】開閉扉を開いた状態の揺動ガイドを示す図である。
【図６】第１実施形態に係るガイド手段の断面図である。
【図７】位置決めされた状態のガイド手段を示す断面図である。
【図８】第２実施形態に係るガイド手段の断面図である。
【発明を実施するための形態】
【００１１】
以下、本発明の実施形態に係る画像形成装置について、図面を参照しながら説明する。本発明の実施形態に係る画像形成装置は、複写機、プリンタ、ファクシミリ及びこれら複合機器等、プリンタ本体の内部のシート搬送路を開放可能な開閉扉を備えた画像形成装置（シート搬送装置）である。以下の実施形態においては、４色のトナー像を形成する電子写真方式のレーザビームプリンタ（以下、「プリンタ」という）１００を用いて説明する。
【００１２】
＜第１実施形態＞
本発明の第１実施形態に係るプリンタ１００について、図１から図７を参照しながら説明する。まず、第１実施形態に係るプリンタの概略構成について、図１から図３を参照しながら説明する。図１は、本発明の第１実施形態に係るプリンタ１００を模式的に示す断面図である。図２は、図１に示すプリンタ１００の開閉扉３００を開いた状態を示す断面図である。図３は、第１実施形態に係るプリンタ１００の制御部５０の構成を示すブロック図である。
【００１３】
図１及び図２に示すように、プリンタ１００は、プリンタ本体（装置本体）１０１と、原稿の画像を読み取り可能な画像読取装置１０２と、プリンタ１００を制御する制御部５０と、を備えている。
【００１４】
プリンタ本体１０１は、シートＳを給送するシート給送部１０と、シートＳに画像を形成可能な画像形成部３０と、シートＳを機外に排出する排出ローラ対４０と、プリンタ本体１０１の内部を開放可能な開閉扉３００と、を備えている。
【００１５】
シート給送部１０は、プリンタ本体１０１の下部に設けられており、シートＳが積載される給送シート積載部１１と、給送シート積載部１１に積載されたシートＳを１枚ずつに分離しながら給送する分離給送手段１２と、を備えている。本実施形態においては、これらが４段設けられている。
【００１６】
画像形成部３０は、シート給送部１０の上方に設けられている。画像形成部３０は、イエロー（Ｙ）、マゼンタ（Ｍ）、シアン（Ｃ）及びブラック（Ｋ）の４色の画像を形成する４つのプロセスカートリッジ３１Ｙ〜３１Ｋと、後述の感光ドラム３３Ｙ〜３３Ｋの表面を露光する露光装置３２と、を備えている。なお、４つのプロセスカートリッジ３１Ｙ〜３１Ｋは、形成する画像の色が異なること以外は同じ構成であるため、イエロー（Ｙ）の画像を形成するプロセスカートリッジ３１Ｙの構成を説明することで、プロセスカートリッジ３１Ｍ〜３１Ｋの説明は省略する。プロセスカートリッジ３１Ｙは、感光ドラム３３Ｙと、感光ドラム３３Ｙを帯電させる帯電ローラと、感光ドラム３３Ｙ上に形成された静電潜像を現像する現像ローラと、を備えており、プリンタ本体１０１から着脱可能に構成されている。
【００１７】
また、画像形成部３０は、感光ドラム３３Ｙ〜３３Ｋ上のトナー像が一次転写される中間転写ベルト３４と、トナー像を中間転写ベルト３４に一次転写する一次転写ローラ３５Ｙ〜３５Ｋと、を備えている。更に、画像形成部３０は、一次転写されたトナー像を二次転写する二次転写部３６と、二次転写されたトナー像を加熱定着させる定着部３７と、を備えている。
【００１８】
開閉扉３００は、プリンタ本体１０１の一方側の側面（図１に示す右側）に、プリンタ本体１０１に回動可能に軸支されており、シート給送部１０から排出ローラ対４０に向かって上方に延びるシート搬送路（第１搬送路）１０７を開放可能に構成されている。また、開閉扉３００には、シートＳの両面（第１面及び第２面）に画像を形成する際に、第１面（表面）に画像が形成されたシートＳをシート搬送路１０７に再搬送するための両面搬送路（第２搬送路）１０６が設けられている。なお、開閉扉３００については、後に詳しく説明する。
【００１９】
画像読取装置１０２は、プリンタ本体１０１の上方に配設されており、プリンタ本体１０１の上部に設けられた排出シート積載部１０４の上方に設けられている。なお、排出シート積載部１０４には、排出ローラ対４０により機外に排出されたシートＳが積載される。
【００２０】
図３に示すように、制御部５０は、シート給送部１０や画像形成部３０、画像読取装置１０２等を駆動制御するＣＰＵ５１と、各種プログラムや各種情報等を記憶するメモリ５２と、を備えている。制御部５０は、各種プログラムや各種情報等に基づいてシート給送部１０や画像形成部３０、画像読取装置１０２等を制御して、原稿の画像読取りやシートＳへの画像形成等を実行させる。
【００２１】
次に、プリンタ１００の画像形成動作（制御部５０による画像形成制御）について、具体的に説明する。画像読取装置１０２や外部ＰＣ等から画像情報が入力されると、入力された画像情報に基づいて露光装置３２が感光ドラム３３Ｙ〜３３Ｋに向けてレーザ光を照射する。このとき感光ドラム３３Ｙ〜３３Ｋは、帯電ローラにより予め帯電されており、レーザ光が照射されることで感光ドラム３３Ｙ〜３３Ｋ上に静電潜像が形成される。その後、現像ローラにより静電潜像が現像され、感光ドラム３３Ｙ〜３３Ｋ上に、イエロー（Ｙ）、マゼンタ（Ｍ）、シアン（Ｃ）及びブラック（Ｋ）のトナー像が形成される。感光ドラム３３Ｙ〜３３Ｋ上に形成された各色のトナー像は、一次転写ローラ３５Ｙ〜３５Ｋにより中間転写ベルト３４に重畳転写され、中間転写ベルト３４により二次転写部３６まで搬送される。
【００２２】
上述の画像形成動作に並行して、分離給送手段１２により、給送シート積載部１１に積載されたシートＳが１枚ずつレジストレーションローラ対１０３に向けて給送される。そして、レジストレーションローラ対１０３により、所定の搬送タイミングで二次転写部３６に搬送され、中間転写ベルト３４上のトナー像が転写される。トナー像が転写されたシートＳは、定着部３７でトナー像が定着され、排出ローラ対４０により機外に排出される。そして、画像が定着されたシートＳは、排出シート積載部１０４に、順次、積載される。
【００２３】
なお、シートＳの両面に画像を形成する際には、第１面に画像が形成されたシートＳを反転搬送ローラ１０５で両面搬送路１０６に搬送し、両面搬送路１０６を介して画像形成部３０にシートＳを再搬送して、第２面（裏面）に画像を形成する。
【００２４】
次に、上述した開閉扉３００について、図２に加え、図４から図７を参照しながら具体的に説明する。図４は、開閉扉３００を閉じた状態の揺動ガイド３０６を示す図である。図５は、開閉扉３００を開いた状態の揺動ガイド３０６を示す図である。図６は、第１実施形態に係るガイド手段３０４の断面図である。図７は、位置決めされた状態のガイド手段３０４を示す断面図である。
【００２５】
まず、開閉扉３００の概略構成について説明する。図２に示すように、開閉扉３００は、回動軸３０１によりプリンタ本体１０１に回動可能に軸支されており、フック３１４（図４参照）をプリンタ本体１０１の不図示の被係合部に係合させることで、プリンタ本体１０１に位置決め固定されるようになっている。また、開閉扉３００には、手差し給送部２０が設けられており、手差し給送部２０は、開閉扉３００に収納可能な手差しトレイ２１に積載されたシートＳをプリンタ本体１０１に給送可能に構成されている。
【００２６】
更に、開閉扉３００には、シートＳの両面に画像を形成する際にシートＳが搬送される両面搬送路１０６が設けられており、両面搬送路１０６には、シートＳを搬送可能な両面上ローラ（搬送ローラ）１２４ａ及び両面下ローラ１２４ｂが配設されている。両面上ローラ１２４ａ及び両面下ローラ１２４ｂは、不図示の駆動装置により駆動するようになっている。
【００２７】
図４から図６に示すように、両面搬送路１０６の上流側は、両面搬送ガイド３０５及びガイド手段３０４により構成されている。
【００２８】
両面搬送ガイド３０５は、開閉扉３００に固定されており、反転搬送ローラ１０５（図２参照）により両面搬送路１０６に向けて搬送されるシートＳの一方側の面（外側の面）をガイドする。また、両面搬送ガイド３０５は、両面上ローラ１２４ａを支持しており、両面上ローラ１２４ａは、ローラ軸３０７と、ローラ軸３０７に所定間隔で固着された複数のローラ本体３０８と、を備えている。ローラ軸３０７は、両端が軸受３０２を介して両面搬送ガイド３０５に支持されている。また、ローラ軸３０７は、一端に設けられる不図示のローラギアが上述した不図示の駆動装置に接続されている。
【００２９】
ガイド手段３０４は、両面搬送路１０６に搬送されたシートＳの他方側の面（内側の面）をガイドする揺動ガイド（ガイド本体）３０６と、両面上ローラ１２４ａのローラ本体３０８に圧接してシートＳを搬送可能な搬送コロ３０９と、を備えている。また、ガイド手段３０４は、搬送コロ３０９を両面上ローラ１２４ａに向けて付勢すると共に、両面搬送路１０６を開放する方向に揺動ガイド３０６を付勢するねじりコイルバネ（付勢手段）３１０を備えている。
【００３０】
揺動ガイド３０６は、両面搬送ガイド３０５に対して所定間隔離れた対向位置において、両面上ローラ１２４ａよりもシート搬送方向下流に位置する回動軸３１１を中心に、両面搬送ガイド３０５に回動可能に軸支されている。揺動ガイド３０６が回動軸３１１を中心に回動することで、両面搬送路１０６の上流側が開放され、両面搬送路１０６でジャム等が発生した際に、容易にジャム処理を行うことが可能になる。また、揺動ガイド３０６の、両面搬送路１０６を構成するガイド面３０６ａと反対側のガイド面３０６ｂは、シート搬送路１０７を移動するシートＳをガイドしている。つまり、揺動ガイド３０６のガイド面３０６ｂは、シート搬送路１０７の一部を構成している。
【００３１】
搬送コロ３０９は、両面上ローラ１２４ａのローラ本体３０８に圧接して従動回転するように回転可能且つ圧接方向に移動可能に、揺動ガイド３０６の長穴部３０６ｃに支持されている。長穴部３０６ｃは、搬送コロ３０９の圧接方向に長くなるように形成されている。また、搬送コロ３０９は、ねじりコイルバネ３１０により両面上ローラ１２４ａのローラ本体３０８に圧接するように付勢されており、ローラ本体３０８とのニップでシートＳを搬送する。
【００３２】
ねじりコイルバネ３１０は、巻き線部（コイル部）３１０ａが揺動ガイド３０６に設けられた支点３１２に回転可能に支持されており、支点３１２は、搬送コロ３０９に対して回動軸３１１と反対側に形成されている。また、ねじりコイルバネ３１０は、一端が揺動ガイド３０６に係合しており、他端が搬送コロ３０９の回転軸３０９ａと係合している。このようにねじりコイルバネ３１０を配置することで、ねじりコイルバネ３１０による搬送コロ３０９への付勢力の反力（両面上ローラ１２４ａからの反力）が揺動ガイド３０６に働き、回動軸３１１を中心に揺動ガイド３０６を矢印Ａ方向に回動させる力となる。
【００３３】
また、揺動ガイド３０６は、図７に示すように、フック３１４により開閉扉３００がプリンタ本体１０１に位置決め固定された際に、プリンタ本体１０１に設けられる位置決め部３１５に突き当たるようになっている。位置決め部３１５は、開閉扉３００がプリンタ本体１０１に対して閉じられる直前の移動方向（水平方向）に沿って設けられており、位置決め部３１５に突き当たる揺動ガイド３０６の突当部３１６も移動方向に沿って設けられている。これにより、揺動ガイド３０６が高さ方向に位置決めされる。
【００３４】
次に、開閉扉３００を開いた際の揺動ガイド３０６の動作について説明する。図７に示すように、揺動ガイド３０６は、開閉扉３００が閉じられた状態においては、突当部３１６が位置決め部３１５に突き当たっている。このとき、搬送コロ３０９を付勢することによる両面上ローラ１２４ａからの反力が、支点３１２を中心にねじりコイルバネ３１０に作用している。そのため、ねじりコイルバネ３１０が揺動ガイド３０６を矢印Ａ方向に押圧し、揺動ガイド３０６が位置決め固定されている。
【００３５】
次に、開閉扉３００を開くと、突当部３１６が位置決め部３１５に突き当たった状態のまま、揺動ガイド３０６が開閉扉３００に対して相対的に回動する。これにより、両面搬送路１０６が開放される。更に開閉扉３００を開くと、揺動ガイド３０６の回動軸３１１の近傍の端部が両面搬送ガイド３０５に当接することで、開閉扉３００に対する揺動ガイド３０６の相対的な回動が停止される。この状態から更に開閉扉３００を開くと、揺動ガイド３０６が開閉扉３００と共に回動し、シート搬送路１０７が開放される。
【００３６】
以上説明したように、第１実施形態に係るプリンタ１００は、１つのねじりコイルばね３１０のみを用いた簡単且つ安価な構成で、搬送コロ３０９の圧接力と、圧接力と反対方向に作用する揺動ガイド３０６の付勢力とを同時に生み出すことができる。そのため、開閉扉３００を開けると、ねじりコイルばね３１０に作用するモーメントで、揺動ガイド３０６が開き、シート詰まり（例えば、紙詰まり）箇所の視認性を向上させることができる。また、このとき、搬送コロ３０９が両面上ローラ１２４ａから離間するので、容易にシートＳを取り除くことができる。これにより、ジャム処理性を向上させることができる。
【００３７】
また、本実施形態に係るプリンタ１００は、開閉扉３００を閉じた際に、突当部３１６がプリンタ本体１０１の位置決め部３１５に突き当たることで揺動ガイド３０６が位置決めされる。プリンタ本体１０１の位置決め部３１５は、開閉扉３００がプリンタ本体１０１に対して閉じられる直前の移動方向（水平方向）に沿って設けられている。そのため、揺動ガイド３０６は、位置決め部３１５によって略垂直方向（高さ方向）の位置は規制されるが、水平方向（例えば、奥行き方向）の位置に関しては規制を受けない。これにより、部品公差や部品の剛性等の様々な要因によって、開閉扉３００を閉じた際に、プリンタ本体１０１に対して開閉扉３００の閉じ位置のばらつきが生じた場合でも、揺動ガイド３０６はプリンタ本体１０１に対して水平位置を維持可能となる。その結果、搬送コロ３０９の付勢力を一定に維持しつつ、両面搬送路１０６のガイド間距離（隙間）を一定にすることができる。
【００３８】
＜第２実施形態＞
次に、第２実施形態に係るプリンタについて、図８を参照しながら説明する。第２実施形態に係るプリンタは、揺動ガイド３０６及び搬送コロ３０９を付勢する付勢手段が第１実施形態と相違する。そのため、第２実施形態においては、付勢手段を中心に説明し、その他の構成については、第１実施形態と同じ符号を付してその説明を省略する。図８は、第２実施形態に係るガイド手段３０４の断面図である。
【００３９】
図８に示すように、付勢手段は、揺動部材４００と、圧縮バネ４１０と、を備えている。揺動部材４００は、搬送コロ３０９に対して揺動ガイド３０６の回動軸３１１と反対側に位置する支点部（支点）４００ａを中心に揺動ガイド３０６に揺動自在に支持されると共に、一端部４００ｃが搬送コロ３０９の回転軸３０９ａと係合している。具体的には、揺動部材４００は、支点部４００ａが揺動ガイド３０６の軸部４０１に回動可能に支持されている。圧縮バネ４１０は、一端が揺動ガイド３０６に固定されると共に、他端が揺動部材４００の他端部４００ｂを開閉扉３００から離れる方向（両面搬送路１０６を開放する方向）に付勢している。
【００４０】
このように揺動部材４００及び圧縮バネ４１０を配置することで、圧縮バネ４１０による搬送コロ３０９への付勢力の反力が揺動ガイド３０６に対して働き、回動軸３１１を中心に、揺動ガイド３０６を矢印Ａ方向に回動させる力となる。
【００４１】
次に、開閉扉３００を開いた際の揺動ガイド３０６の動作について説明する。揺動ガイド３０６は、開閉扉３００が閉じられた状態においては、突当部３１６が位置決め部３１５に突き当たっている。このとき、圧縮バネ４１０が搬送コロ３０９を付勢することによる両面上ローラ１２４ａからの反力により、揺動ガイド３０６が矢印Ａ方向に押圧され、揺動ガイド３０６が位置決め固定されている。
【００４２】
次に、開閉扉３００を開くと、突当部３１６が位置決め部３１５に突き当たった状態のまま、開閉扉３００に対して相対的に回動する。これにより、両面搬送路１０６が開放される。更に開閉扉３００を開くと、揺動ガイド３０６の回動軸３１１の近傍の端部が両面搬送ガイド３０５に当接することで、開閉扉３００に対する揺動ガイド３０６の相対的な回動が停止される。この状態から更に開閉扉３００を開くと、シート搬送路１０７が開放される。
【００４３】
以上説明したように、第２実施形態に係るプリンタは、１つの圧縮バネ４１０と揺動部材４００を用いた簡単且つ安価な構成で、搬送コロ３０９の圧接力と、圧接力と反対方向に作用する揺動ガイド３０６の付勢力とを同時に生み出すことができる。そのため、開閉扉３００を開けると、揺動部材４００に作用するモーメントで、揺動ガイド３０６が開き、シート詰まり（例えば、紙詰まり）箇所の視認性を向上させることができる。また、このとき、搬送コロ３０９が両面上ローラ１２４ａから離間するので、容易にシートＳを取り除くことができる。これにより、ジャム処理性を向上させることができる。
【００４４】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００４５】
例えば、本実施形態では、揺動ガイド３０６の位置決め部３１５を略水平方向に配置した構成を用いて示したが、これに限定されない。位置決め部３１５は、揺動ガイド３０６の回動軸３１１の位置とねじりコイルばね３１０の配置によって決められる搬送コロ３０９の付勢力の方向（矢印Ａ方向）が常に一定に保たれる方向に位置決めできる構成で有れば、いずれの位置であってもよい。
【００４６】
また、本実施形態では、開閉扉３００を開くとシート搬送路１０７が開放され、揺動ガイド３０６のガイド面３０６ｂがシート搬送路１０７の一部を構成する態様を用いて説明したが、本発明はこれに限定されない。揺動ガイドの一部がシート搬送路１０７の一部を構成しない態様であってもよい。
【００４７】
また、本実施形態では、電子写真方式のプリンタを用いて説明したが、本発明はこれに限定されない。例えば、ノズルからインク液を吐出させることでシートに画像を形成するインクジェット方式のプリンタ（画像形成装置）にも用いることができる。
【符号の説明】
【００４８】
３０    画像形成部
１００    プリンタ（シート搬送装置、画像形成装置）
１０１    プリンタ本体（装置本体）
１０６    両面搬送路（第２搬送路）
１０７    シート搬送路（第１搬送路）
１２４ａ    両面上ローラ（搬送ローラ）
３００    開閉扉
３０４    ガイド手段
３０６    揺動ガイド（ガイド本体）
３０９    搬送コロ
３１０    ねじりコイルばね（付勢手段）
３１０ａ    巻き線部（コイル部）
３１０ｂ    突出部
３１０ｃ    連結部
３１１    回動軸
３１５    位置決め部
３１６    突当部
Ｓ    シート
【図１】
2015067430.tif 000003
【図２】
2015067430.tif 000004
【図３】
2015067430.tif 000005
【図４】
2015067430.tif 000006
【図５】
2015067430.tif 000007
【図６】
2015067430.tif 000008
【図７】
2015067430.tif 000009
【図８】
2015067430.tif 000010